(57)【要約】【課題】外部からの負荷や振動等に起因して収納状態にあるシャワーヘッドが垂れ下がるのを防止して、使用性及び収納安定性を図ること。【解決手段】シャワーホース２３を案内収容するホースガイド２１の外面に、シャワーヘッド４後部を引掛係止する引掛係止部６を設ける。さらにシャワーヘッド４の両側面４ｃとこれに対向するシャワーヘッド収納部２０の両内側壁２０ｂとの各対面面に、着脱自在に係合するシャワーヘッド垂れ下がり防止用係合部９をそれぞれ設けたシャワーヘッドの収納構造である。【選択図】図１
2011064035.tif 000002
【特許請求の範囲】
【請求項１】
吐水を行うシャワーヘッドを出し入れ自在に収納するシャワーヘッド収納部が、前方及び下方にそれぞれ開口しており、シャワーヘッド収納部の奥面側に、シャワーヘッドに接続されるシャワーホースを案内収容するホースガイドが設けられたシャワーヘッドの収納構造であって、上記ホースガイドの外面にシャワーヘッド後部を引掛係止する引掛係止部を設けると共に、上記シャワーヘッドの両側面とこれに対向するシャワーヘッド収納部の両内側壁との各対向面に、着脱自在に係合するシャワーヘッド垂れ下がり防止用係合部をそれぞれ設けたことを特徴とするシャワーヘッドの収納構造。
【請求項２】
上記シャワーヘッドの外面形状を直方体形状に形成したことを特徴とする請求項１記載のシャワーヘッドの収納構造。
【請求項３】
上記シャワーヘッド垂れ下がり防止用係合部とは別に、シャワーヘッドの両側面のそれぞれの上下両側位置に、シャワーヘッド収納部の両内側壁に接触してシャワーヘッドの振動を抑制する振動抑制用突起を設けたことを特徴とする請求項１又は請求項２記載のシャワーヘッドの収納構造。
【発明の詳細な説明】
【技術分野】
【０００１】
本発明は、シャワーヘッドの収納構造に関し、詳しくは吐水を行うシャワーヘッドを、前方及び下方に開口したシャワーヘッド収納部に出し入れ自在に収納するようにしたシャワーヘッドの収納構造に関するものである。
【背景技術】
【０００２】
従来から、シャワーヘッドを出し入れ自在に収納するヘッド保持部を水平カウンターの下方に設置したシャワー装置が知られている（例えば、特許文献１参照）。
【０００３】
ところが、上記特許文献１に見られる従来例では、シャワーヘッド後部のスカート部をヘッド保持部に嵌め込んで保持するものであるため、シャワーヘッドがヘッド保持部から簡単に外れてしまい、使い勝手が悪いという問題がある。
【先行技術文献】
【特許文献】
【０００４】
【特許文献１】特開２００７−１１７４７６号公報
【発明の概要】
【発明が解決しようとする課題】
【０００５】
そこで本発明者らは、本発明に至る過程で、図９に示すように、吐水を行うシャワーヘッド４を、前方及び下方に開口したシャワーヘッド収納部２０に出し入れ自在に収納すると共に、シャワーヘッド収納部２０の奥面に、シャワーヘッド４に接続されるシャワーホースを案内収容するホースガイド２１を設けた構造において、ホースガイド２１の外面に、シャワーヘッド４後部から突出する左右一対の引掛片６ｂを引掛係止する窪み部６ａを凹設し、シャワーヘッド４後部をホースガイド２１に対して引掛係止部６により固定する構成を考えた。
【０００６】
しかし、シャワー吐出形態切替時（整水、シャワーの切替）或いは外部からの軽い衝撃や負荷によって、シャワーヘッド４が垂れ下がってしまうという問題がある。
【０００７】
本発明は上記の事情に鑑みてなされたものであって、その目的とするところは、収納状態にあるシャワーヘッドに外部からの負荷や振動等に起因して収納状態にあるシャワーヘッドが垂れ下がる事態を防止でき、使用性及び収納安定性にそれぞれ優れたシャワーヘッドの収納構造を提供することにある。
【課題を解決するための手段】
【０００８】
前記の課題を解決するために、本発明は、吐水を行うシャワーヘッド４を出し入れ自在に収納するシャワーヘッド収納部２０が、前方及び下方にそれぞれ開口しており、シャワーヘッド収納部２０の奥面２０ａ側に、シャワーヘッド４に接続されるシャワーホース２３を案内収容するホースガイド２１が設けられたシャワーヘッドの収納構造である。上記ホースガイド２１の外面に、シャワーヘッド４後部を引掛係止する引掛係止部６を設ける。さらに上記シャワーヘッド４の両側面４ｃとこれに対向するシャワーヘッド収納部２０の両内側壁２０ｂとの各対向面に、着脱自在に係合するシャワーヘッド垂れ下がり防止用係合部９をそれぞれ設けたことを特徴としている。
【０００９】
このような構成とすることで、収納状態にあるシャワーヘッド４の両側面４ｃのシャワーヘッド垂れ下がり防止用係合部９による係合支持によって、シャワー吐出形態切替時（整水、シャワーの切替）或いは外部からの軽い衝撃や負荷が掛かっても、シャワーヘッド４が垂れ下がってしまうことがない。そのうえ吐出形態切替用の電磁弁閉止時のウォーターハンマー現象によりシャワーホース２３を通じて振動がシャワーヘッド４に伝播した場合でも、シャワーヘッド垂れ下がり防止用係合部９の働きによってシャワーヘッド４が振動により垂れ下がることもなくなる。
【００１０】
また、上記シャワーヘッド４の外面形状を直方体形状に形成するのが好ましく、この場合、シャワーヘッド収納部２０内部での直方体形状のシャワーヘッド４の回転を規制でき、シャワーヘッド垂れ下がり防止用係合部９によるシャワーヘッド４の両側面４ｃの垂れ下がり防止機能が十分に発揮される。
【００１１】
また、上記シャワーヘッド垂れ下がり防止用係合部９とは別に、シャワーヘッド４の両側面４ｃのそれぞれの上下両側位置に、シャワーヘッド収納部２０の両内側壁２０ｂに接触してシャワーヘッド４の振動を抑制する振動抑制用突起１７を設けるのが好ましく、この場合、シャワーヘッド４の垂れ下がり防止効果に加えて、シャワーヘッド４の上下左右の少なくとも計４箇所に分散配置した複数の振動抑制用突起１７によって、シャワーヘッド４の上下左右の振動を効率よく抑制できるようになり、特にウォーターハンマー発生によるシャワーヘッド４の振動や異音発生防止効果に寄与できる。
【発明の効果】
【００１２】
本発明は、シャワーヘッド垂れ下がり防止用係合部の働きによって収納状態にあるシャワーヘッドが外部からの負荷や振動等が原因で垂れ下がる事態を防止でき、結果、シャワーヘッドの良好な収納状態を持続でき、使用性及び収納安定性を共に向上させることができる。
【図面の簡単な説明】
【００１３】
【図１】本発明の一実施形態のシャワーヘッドの収納構造を示しており、（ａ）はシャワーヘッドとシャワーヘッド収納部との分解図であり、（ｂ）はシャワーヘッドの収納状態の正面図であり、（ｃ）はシャワーヘッド垂れ下がり防止用係合部の一例を示す概略正面図であり、（ｄ）は他例を示す概略正面図であり、（ｃ）は更に他例を示す概略正面図である。
【図２】同上のシャワーヘッドを後方から斜視図である。
【図３】同上のシャワーヘッドを収納するシャワーヘッド収納部を備えた収納ケース全体の斜視図である。
【図４】同上の収納ケースを備えた洗面化粧台の正面図である。
【図５】同上の収納ケースを備えた洗面化粧台の側面図である。
【図６】（ａ）は同上のシャワーヘッド垂れ下がり防止用係合部とは別に、振動抑制用突起を備えたシャワーヘッドの斜視図であり、（ｂ）は側面図である。
【図７】図６のシャワーヘッドをシャワーヘッド収納部から僅かに引き出した状態の斜視図である。
【図８】図６のシャワーヘッドをシャワーヘッド収納部に収納した状態の正面図である。
【図９】（ａ）は同上のシャワーヘッドをシャワーヘッド収納部に収納した状態の斜視図であり、（ｂ）はシャワーヘッドを省略した斜視図であり、（ｃ）はホースガイドの斜視図であり、（ｄ）はシャワーヘッドを後方から見た斜視図であり、（ｅ）は引掛係止部を説明する一部破断した斜視図である。
【発明を実施するための形態】
【００１４】
以下、本発明を添付図面に示す実施形態に基いて説明する。
【００１５】
本発明のシャワーヘッド４は、例えば図４、図５に示すように、洗面化粧台１０に設けた混合水栓１に取り付けられている。洗面化粧台１０は、前面に照明ランプ１１及びミラー１２を有し、内部に収納棚（図示せず）を有するミラーキャビネット１３と、上面に洗面ボウル１５を設けた下部キャビネット１４とを備えたもので、ミラーキャビネット１３の背面板１８に対して、混合水栓１を収納する収納ケース５が取り付けられている。
【００１６】
上記収納ケース５の前面部５ａは、図３に示すように、真正面向きよりも斜め上向きに傾斜しており、その中央部に人感センサーの情報に基づく自動吐水モードと操作レバー２による手動吐水モードとを切り替える切替スイッチ１９が設けられている。切替スイッチ１９の片側に、収納ケース５の下方に突出した操作レバー２の操作部２ｂの操作により吐水の流量と温度をそれぞれ調節する水栓カートリッジ（図示せず）が組み込まれており、反対側に、シャワーヘッド４を着脱自在に収納するシャワーヘッド収納部２０が設けられている。
【００１７】
一方、シャワーヘッド４は、図３に示すように、ヘッド本体２８と、ヘッド本体２８の外周を覆うヘッドカバー２７（図２）とで構成されている。ヘッド本体２８には、吐水口４ｂと、直流水とシャワー水を切替えるハンドル部４ａと、ホース２３との接続部とが設けられている。
【００１８】
ここで本実施形態においては、シャワーヘッド４のヘッドカバー２７は、ヘッド本体２８の外周側面を覆うもので、直方体形状に形成されている。
【００１９】
一方、シャワーヘッド収納部２０は、前方及び下方にそれぞれ開口しており、シャワーヘッド収納部２０の奥面側には、図１（ａ）に示すように、シャワーヘッド４に接続されるシャワーホース２３を案内収容するホースガイド２１が貫通固定されている。ホースガイド２１の外面には、前記図９において説明した引掛係止部６が設けられており、シャワーヘッド４の引掛片６ｂ（図２）をホースガイド２１に対して引掛係止により固定できるようになっている。
【００２０】
さらに、上記シャワーヘッド４の両側面４ｃとこれに対向するシャワーヘッド収納部２０の両内側壁２０ｂの各対向面には、それぞれ、図１に示すように、着脱自在に係合するシャワーヘッド垂れ下がり防止用係合部９が一体に設けられている。図１（ａ）（ｂ）に示す例では、係合部９は、シャワーヘッド４の両側面４ｃからそれぞれ突出するシャワーヘッド側凸部９ａと、シャワーヘッド収納部２０の両内側壁２０ｂからそれぞれ突出する収納部側凸部９ｂとで構成されており、シャワーヘッド側凸部９ａが収納部側凸部９ｂに乗り上がることで、図１（ｃ）に示すように、シャワーヘッド側凸部９ａが収納部側凸部９ｂの上面に載置されるものであり、この場合の係合部９は凸凸嵌合となる。係合部９の他例として凹凸嵌合を図１（ｄ）、（ｅ）に示す。図１（ｄ）は、シャワーヘッド４の両側面４ｃからそれぞれ突出するシャワーヘッド側凸部９ｃと、シャワーヘッド収納部２０の両内側壁２０ｂにそれぞれ凹設される収納部側凹部９ｄとを組み合わせたものであり、図１（ｅ）は、シャワーヘッド４の両側面４ｃにそれぞれ凹設されるシャワーヘッド側凹部９ｅと、シャワーヘッド収納部２０の両内側壁２０ｂからそれぞれ突出する収納部側凸部９ｆとを組み合わせたものである。本例の係合部９はいずれも、クリック感触を有する凸凸嵌合或いは凹凸嵌合によって着脱可能な状態でシャワーヘッド４の垂れ下がり防止機能を果たすものである。また図１（ｄ）、（ｅ）の凹凸嵌合では、より確実に垂れ下がりを防止できて好ましいものである。
【００２１】
しかして、上記シャワーヘッド４の収納状態においてシャワーヘッド４後部がホースガイド２１に引掛係止されると共に、シャワーヘッド４の両側面４ｃがそれぞれシャワーヘッド垂れ下がり防止用係合部９によって係合支持されるので、仮りにシャワー吐出形態切替時（整水、シャワーの切替）或いは外部からの軽い衝撃や負荷がシャワーヘッド４に掛かっても、これが原因でシャワーヘッド４が垂れ下がってしまうことがないものであり、さらに、吐出形態切替用の電磁弁閉止時のウォーターハンマー現象によりシャワーホース２３を通じて振動がシャワーヘッド４に伝播した場合でも、シャワーヘッド垂れ下がり防止用係合部９の働きによってシャワーヘッド４が振動によって垂れ下がってしまうこともなくなる。そのうえ着脱自在な係合構造であるためシャワーヘッド４の取り外しには支障をきたさないものである。
【００２２】
また本例のシャワーヘッド４の外面形状は直方体形状に形成されているので、シャワーヘッド収納部２０内部での直方体形状のシャワーヘッド４の回転を規制でき、シャワーヘッド４の垂れ下がり防止機能を高めることができる利点もある。
【００２３】
図６〜図８は他の実施形態であり、シャワーヘッド垂れ下がり防止用係合部９に加えて、シャワーヘッド４の両側面４ｃのそれぞれの上下両側位置に、振動抑制用突起１７を設けたものである。他の構成は図１、図２の実施形態と同様であり、異なる点だけを説明する。本例の振動抑制用突起１７はシャワーヘッド４の両側面４ｃにそれぞれ設けられている。以下、シャワーヘッド４の一側面４ｃに設けられる振動抑制用突起１７を説明する。本例では図６（ｂ）に示すように、一側面４ｃの下端側から突出するシャワーヘッド側突起１７ａをシャワーヘッド垂れ下がり防止用凸部９ａの下方近傍に配置し、シャワーヘッド４の収納時にシャワーヘッド垂れ下がり防止用凸部９ａが内側壁２０ｂの下端側から突出する凸状のシャワーヘッド受け部１６ａの上面に当たると共に、シャワーヘッド側突起１７ａが凸状のシャワーヘッド受け部１６ａの下面に当たることで、凸状のシャワーヘッド受け部１６ａを両者１７ａ、９ａで上下から挟み込むものであり、これによりシャワーヘッド４の上下方向Ｅの振動が抑制されるようになっている。さらに、一側面４ｃの上端側から突出するシャワーヘッド側突起１７ｂが内側壁２０ｂの上端面１６ｂに接触するものであり、これによりシャワーヘッド４の左右方向Ｆの振動が抑制されるようになっている。
【００２４】
しかして、シャワーヘッド垂れ下がり防止用係合部９による垂れ下がり防止効果に加えて、本例では、シャワーヘッド４の上下左右の少なくとも計４箇所に分散配置した複数の振動抑制用突起１７（１７ａ,１７ｂ）によって、シャワーヘッド４の上下左右のそれぞれの振動を効率よく抑制できるようになり、特にウォーターハンマー発生によるシャワーヘッド４の振動や異音発生防止に役立つものである。さらに垂れ下がり防止用係合部９ａと振動抑制用突起１７ａ間に凸状のシャワーヘッド受け部１６ａが挟み込むことで上下方向Ｅの振動を規制する構成としたので、シャワーヘッド垂れ下がり防止用係合部９を利用して上下方向Ｅの振動抑制効果が得られる利点もある。
【符号の説明】
【００２５】
４  シャワーヘッド
４ｃ  両側面
６  引掛係止部
９  シャワーヘッド垂れ下がり防止用係合部
１７  振動抑制用突起
２０  シャワーヘッド収納部
２０ａ  奥面
２０ｂ  両内側壁
２１  ホースガイド
２３  シャワーホース
【図１】
2011064035.tif 000003
【図２】
2011064035.tif 000004
【図３】
2011064035.tif 000005
【図４】
2011064035.tif 000006
【図５】
2011064035.tif 000007
【図６】
2011064035.tif 000008
【図７】
2011064035.tif 000009
【図８】
2011064035.tif 000010
【図９】
2011064035.tif 000011